(57)【特許請求の範囲】
【請求項１】
商品を発行する複数の商品発行装置と、それらの商品発行装置に接続された商品選択装置とを備えた商品自動発行システムであって、
前記商品選択装置が、
利用者が所望の商品の発行に必要な指示を入力する入力手段と
前記商品の発行のために選択されるべき項目情報及び商品の発行が行われる商品発行装置に移動を促すメッセージを表示する表示手段と、
前記表示手段の表示内容に従って前記商品の発行に必要な項目情報を選択する選択手段と、
商品を発行するために必要なデータを取得する取得手段と、
商品発行処理を実行していない処理待ちの前記商品発行装置が存在するか否かを確認する確認手段と、
前記処理待ちの前記商品発行装置の中で最も近い商品発行装置に前記データを送信する第一送信手段と、
前記データが前記商品発行装置から送り返された場合、前記データを処理待ちの他の前記商品発行装置に送信する第二送信手段とを備え、
前記商品発行装置が、
前記商品選択装置から受信した前記データに基づいて、前記選択手段によって選択された商品を作成して発行する商品発行手段と、
前記商品発行手段によって商品の発行が正常に行われなかった場合に、前記商品選択装置から受信した前記データを前記商品選択装置に送り返す返信手段とを備えたことを特徴とする商品自動発行システム。
【請求項２】
前記商品発行装置が、商品の発行が行われる商品発行装置を点滅点灯させる点滅点灯制御手段を備えたことを特徴とする請求項１記載の商品自動発行システム。
【発明の詳細な説明】
【０００１】
【産業上の利用分野】
本発明は、証明書の交付やゲームソフトの販売等所定の処理を行う商品自動発行システムに関するものである。
【０００２】
【従来の技術】
従来、例えば住民票や印鑑証明書等の証明書類を窓口を介して取得する場合には、申請者自身が役所に出向き、まず申請書に住所、氏名等を漏れなく記入した上で窓口に提出する。そして、窓口の担当者は、その申請書に基づき、書類作成システムの入力部から必要事項を入力して該当する書類を作成した後、公印を押しステープラで止め、手数料と引き換えに申請者に手渡すといった手続を踏む必要があった。
【０００３】
それに対して、最近は、役所の窓口付近等に証明書の自動交付機が設置され、窓口が混雑している時あるいは日曜日等の役所が閉庁している場合に、役所の窓口を介さずに証明書を自動的に入手できるようにされている。こうした証明書自動交付機では、例えば個人の識別カード（ＩＤカード）を使用して必要書類を入手するようにされており、申請者自身が申請書に必要事項を記入する必要がなく、また窓口の担当者が処理するのに比べて比較的短時間で書類を入手できる利点や閉庁している場合にでも証明書を入手できる利点がある。
【０００４】
【発明が解決しようとする課題】
しかしながら、従来のシステムでは証明書の発行に至るまでに証明書の選択、代金の徴収等の処理を経なければならないので比較的時間がかかり、証明書が交付されるまでの間、利用者はただ待っているだけであり、混雑している場合、列の後ろで順番待ちをしている利用者には、イライラが募るばかりであった。また自動交付機自体も当然の事ながら証明書の選択・代金の徴収の処理の間は印刷処理を実行することもないので、証明書の発行プロセスが非効率的である。また、逆の場合、即ち印刷処理の間、他の処理がなされないことを考えると前述の場合と同様で無駄である。さらに一連の処理において発生する故障は、証明書の発行処理（印刷装置）に関係するものが圧倒的に多い。この場合、自動交付機全体を停止させてから修理しなくてはならないので、利用者は、最初から（証明書の選択から）操作をやり直さなければならず、利用者に対するサービスとしては今一歩劣ると言わざるを得ない。このことは、特に証明書自動交付機に限ったことではなく、ゲームソフトをはじめとする他の商品の自動発行機にも当てはまることである。
【０００５】
本発明は、上述した問題点を解決するためになされたものであり、商品の発行処理時間が短かく、利用者がスムーズに商品を取得することができ、更に、万が一、故障が発生しても利用者に迷惑をかけることを最大限に防ぐことのできる商品自動発行システムを提供することを目的とする。
【０００６】
【課題を解決するための手段】
この目的を達成するために請求項１に記載の発明は、商品を発行する複数の商品発行装置と、それらの商品発行装置に接続された商品選択装置とを備えた商品自動発行システムであって、前記商品選択装置が、
利用者が所望の商品の発行に必要な指示を入力する入力手段と前記商品の発行のために選択されるべき項目情報及び商品の発行が行われる商品発行装置に移動を促すメッセージを表示する表示手段と、前記表示手段の表示内容に従って前記商品の発行に必要な項目情報を選択する選択手段と、商品を発行するために必要なデータを取得する取得手段と、商品発行処理を実行していない処理待ちの前記商品発行装置が存在するか否かを確認する確認手段と、前記処理待ちの前記商品発行装置の中で最も近い商品発行装置に前記データを送信する第一送信手段と、前記データが前記商品発行装置から送り返された場合、前記データを処理待ちの他の前記商品発行装置に送信する第二送信手段とを備え、前記商品発行装置が、前記商品選択装置から受信した前記データに基づいて、前記選択手段によって選択された商品を作成して発行する商品発行手段と、前記商品発行手段によって商品の発行が正常に行われなかった場合に、前記商品選択装置から受信した前記データを前記商品選択装置に送り返す返信手段とを備えたことを特徴とする。
【０００７】
また、請求項２に記載の発明は、請求項１記載の商品自動発行システムであって、前記商品発行装置が、商品の発行が行われる商品発行装置を点滅点灯させる点滅点灯制御手段を備えたことを特徴とする。
【０００８】
【０００９】
【００１０】
【実施例】
以下、本発明を具体化した一実施例を図面を参照して説明する。
【００１１】
図１は、本実施例の商品自動発行システムを証明書自動交付システムに適用した場合の概略外観図である。
【００１２】
図１に示すように、証明書自動交付システムは、証明書選択装置１と、複数の証明書発行装置１６とで構成されており、それらは、通信ケーブル１５によって接続されている。
【００１３】
そして、上述の証明書自動交付機システムにおける証明書選択装置１の筐体１ａの前面パネルには、カード挿入口２ａが設けられており、これは、利用者個々の暗証番号を含むユーザＩＤ識別コード等の種々の情報が記録されている磁気ストライプ若しくはＩＣチップを備えたＩＤカードを挿入するためのものである。そして、このカード挿入口２ａの奥には、カードリーダ２（図２参照）が設けられている。そのカードリーダ２の上方には、操作方法や案内等の表示されるＣＲＴ表示装置３と、ＣＲＴ表示装置３上の表示されている部分に直接指等で触れることにより、利用者が所望の情報を入力することのできる、入力手段及び選択手段としてのタッチパネル４が設けられている。
【００１４】
前記カード挿入口２ａの近傍には、トラブルが生じたときなどに係員を呼び出すための呼び出しボタン２２が設けられており、その下方には、車イスを使用している人がこの証明書選択装置１を利用する際に、容易に操作できるようにアシストバー４２が設けられている。さらに、このアシストバー４２の下方で筐体１ａの一部には、車イスの使用者が利用しやすくなるように、車イスに乗車している人の膝から下が納まる程度の大きさの掘り込み４３が形成されており、その掘り込み４３の内側面には、車イスの一部が衝突した場合にショックを吸収するためのショック吸収シート４４が設けられている。
【００１５】
また、この証明書選択装置１の各操作部の高さ及び位置は、車イスの利用者でも楽に操作できるよう、例えば１４０ｃｍ程度にレイアウトされている。
【００１６】
前記前面パネル上において、タッチパネル４の右方には、手数料を支払うためのコイン投入口５ａ及び紙幣挿入口６ａが形成されており、これらはそれぞれ周知の硬貨選別回収装置（コインメック）５および紙幣回収装置（ビルバリ）６と連通している。これらのコイン投入口５ａ及び紙幣挿入口６ａの下方には、釣り銭及びレシートを取り出す取り出し口８が形成されている。
【００１７】
また、前記タッチパネル４の上方には、この証明書選択装置１が使用可能状態にあるか使用不能状態にあるかを表示する操作表示器１０が設けられている。
【００１８】
上記のように構成されている証明書選択装置１と通信ケーブル１５を介して接続されている、前述の証明書発行装置１６の筐体１６ａの前面パネルには、ＣＲＴ表示装置１３が設けられており、その下方には、住民票等の証明書を排出するための証明書排出口１７が設けられている。
【００１９】
次に、図２を参照して証明書自動発行システムの電気的構成について説明する。
【００２０】
本実施例の証明書自動発行システムにおける証明書選択装置１はホストコンピュータ３０と接続されたＣＰＵ３１の指令によって動作するものであり、このＣＰＵ３１は、自動交付に関する処理を実行する。
【００２１】
このＣＰＵ３１には、ハードディスク３５からＣＰＵ３１を制御するための動作プログラムや、ホストコンピュータ３０から送られる個人の住民票データ等を一時的に記憶しておくメモリ３１ａを内蔵すると共に、上述したカードリーダ２と、ＣＲＴ表示装置３と、タッチパネル４と、コインメック５と、ビルバリ６と、呼出ボタン２２と、レシートを印刷するためのジャーナルプリンタ３２と、操作方法等を音声にて説明するための音声ガイダンス装置３３と、前述のＣＰＵ３１を制御するための動作プログラム、画像データ等を格納するハードディスク３５と、メモリ３４と、動作プログラムや画像データ等の変更による新しいプログラムをハードディスク３５に書き込むためのフロッピーディスクドライブ３６とが接続されている。
【００２２】
一方、証明書発行装置１６は、証明書選択装置１と接続されたＣＰＵ４１の指令によって動作するものであり、このＣＰＵ４１は、証明書類発行に関する処理を実行する。このＣＰＵ４１は、ＣＲＴ表示装置１３と、証明書選択装置１から送られてくる印刷パラメータ等を格納するハードディスク４２と、個人情報を一時的に格納するメモリ４３と、商品発行手段としてのプリンタ４９と、書類を搬送したり揃えたりする用紙搬送ユニット４５と、用紙搬送ユニット４５から受けて申請者の手元に書類を発行する用紙排出ユニット４６と、プリンタ４９で印刷された書類が複数枚であるとき、それらの書類の端部を綴じるためのステープラ４７及びそれらの書類に契印を付すための契印機４８とが接続されている。
【００２３】
前記ホストコンピュータ３０には、各住民の戸籍や住所等のデータが格納されている。但し、ＩＤカードとして、記憶容量の大きいＩＣチップを備えたＩＣカード側に該住民の戸籍や住所等のデータを格納しておく場合はこの限りでない。続いて、上記構成を有する証明書自動発行システムの電源起動から営業稼働状態に至るまでの動作について図３に示すフローチャートを参照して説明する。
【００２４】
まず最初に、証明書自動発行システムを設置している自治体の職員等により、電源を起動させる（ステップ１。以下ステップを単にＳと記す。）。すると、ＣＰＵ３１は、証明書選択装置１、証明書発行装置１６の各機能、例えば、コインメック５、ビルバリ６、ホストコンピュータ３０との通信機能、プリンタ４９等が正常であるか否かを確認する（Ｓ２）。各機能が正常であれば（Ｓ３：ＹＥＳ）、ホストコンピュータ３０から初期設定の伝文及び印刷パラメータ等を受信し、ハードディスク３５に格納させる（Ｓ８）。更に、ＣＰＵ３１は、受信した該伝文を接続されている全ての証明書発行装置１６内のハードディスク４２に格納させるべく配信する（Ｓ９）。そして、ＣＲＴ表示装置３に、例えば「画面にタッチして下さい」等のデモ画面等を表示して、利用客に対して証明書を購入する場合にはまずタッチパネルに触れる必要があることを促す（Ｓ１０）。
【００２５】
一方、Ｓ２で確認した各機能のうち、正常でない箇所があると（Ｓ３：ＮＯ）、該箇所が修正可能か否かを判断し、修正不能な不具合であれば（Ｓ４：ＮＯ）、異常箇所、原因及び問い合わせ先等をＣＲＴ表示装置３に示して処理を終了する（Ｓ５）。逆に修正可能な不具合であれば（Ｓ４：ＹＥＳ）、不具合箇所、原因を示し、ＣＲＴ表示装置３上に修正するよう促す（Ｓ６）。そして、改善作業が終了したら（Ｓ７：ＹＥＳ）、上述したＳ８へ移行する。
【００２６】
次に、証明書自動発行システムにおける証明書の選択から発行までの処理動作について図４から図７に示すフローチャートを参照して説明する。
【００２７】
証明書選択装置１は、通常ＣＰＵ３１の制御により、所定のカード挿入の指示画面をＣＲＴ表示装置３に表示している（Ｓ２１）。そして、利用者がＩＤカードを挿入すると（Ｓ２２）、常にカードリーダ２にＩＤカードが挿入されたか否かを監視しているＣＰＵ３１が、ＩＤカードの挿入を検出し、カードリーダ２に読み取りを指示する（Ｓ２３）。
【００２８】
カードリーダ２は、ＩＤカードに記録されているデータを読み取り、ＣＰＵ３１にデータを転送する。そして、ＣＰＵ３１は挿入されたＩＤカードが当該証明書自動発行システム用のカードであるかどうかの確認をし、このカードが当該証明書自動発行システム用のカードでなければ（Ｓ２３：ＮＯ）、カード挿入口２ａからＩＤカードを排出する（Ｓ２５）と共に、その旨をＣＲＴ表示装置３に表示する（Ｓ２６）。
【００２９】
一方、挿入されたものが当該証明書自動発行システム用のカードであれば（Ｓ２３：ＹＥＳ）、暗証番号入力ガイダンス処理を行う（Ｓ２４）。これは、利用者に暗証番号の入力を促す画面表示をＣＲＴ表示装置３に表示させ、また、音声ガイダンス装置３３へも信号を送って、例えば「暗証番号を入力して下さい」と発声させる。
【００３０】
そして、利用者によってタッチパネル４が押されて暗証番号が入力されたか否かを判断し、入力された場合、ＣＰＵ３１はＩＤカードに記録されている利用者のユーザＩＤ識別コードと入力された暗証番号とをホストコンピュータ３０に伝送する。ホストコンピュータ３０はＣＰＵ３１から伝送されたユーザＩＤ識別コードと暗証番号とを照合し（Ｓ２７）、ユーザＩＤ識別コードに対して暗証番号が正しくなければ（Ｓ２８：ＮＯ）、その旨をＣＰＵ３１に伝送し、再度暗証番号ガイダンス処理（Ｓ２４）を行う。つまり、暗証番号の入力を促す画面表示をＣＲＴ表示装置３に表示させ、また音声ガイダンス装置３３からも発声させる。
【００３１】
また、暗証番号が正しければ（Ｓ２８：ＹＥＳ）、ＣＰＵ１３は証明書選択ガイダンス処理を行う（Ｓ２９）。このガイダンス処理は、取扱可能な証明書の名称等をＣＲＴ表示装置３に表示し、また、音声ガイダンス装置３３へも信号を送って、例えば「必要な証明書を選んで下さい」と発声させる。
【００３２】
利用者は、タッチパネル４の選択したいメニューが表示されている部分に触れることにより、必要なメニューを選択することができる。ＣＰＵ３１では、このメニューの選択がされたか否かを判断する（Ｓ３０）。
【００３３】
ここで、Ｓ３０において選択可能なメニューについて説明すると、本実施例では、例えば住民票や印鑑登録証明書の交付が可能とされている。
【００３４】
選択入力がなされると（Ｓ３０：ＹＥＳ）、ＣＰＵ３１は部数選択ガイダンス処理を行う（Ｓ３１）。この部数選択ガイダンス処理は、部数選択を促す画面表示をＣＲＴ表示装置３に表示すると共に、音声ガイダンス装置３３にも信号を送って、例えば「必要な部数を選んで下さい」と発声させる。利用者はタッチパネル４に触れることによって必要な部数を選択することができる。
【００３５】
そして、部数が入力された場合には（Ｓ３２：ＹＥＳ）、ＣＰＵ３１は利用者が選択した証明書の料金を計算し、料金投入を促す画面表示をＣＲＴ表示装置３に表示する（図５のＳ３３）。この料金表示に応じて、利用者は料金を投入する。料金は硬貨であればコイン投入口５ａから投入され、コインメック５に入る。紙幣であれば紙幣挿入口６ａから挿入され、ビルバリ６に入る。このとき必要ならば釣り銭がコインメック５から払い出され、取り出し口８から排出される。また、レシートはジャーナルプリンタ３２により印字されて取り出し口８から排出される。
【００３６】
ＣＰＵ３１は、規定の料金徴収を確認すると（Ｓ３４：ＹＥＳ）、カードリーダ２に命令を伝送し、カード挿入口２ａからＩＤカードを排出させる（Ｓ３５）。
【００３７】
そして、ＩＤカードが取り出されたことを検知すると、証明書発行処理を実行していない処理待ちの証明書発行装置が存在するか否かを確認する（Ｓ３６）。そして、万が一、接続されている全ての証明書発行装置が発行処理の実行中であれば（Ｓ３７：ＮＯ）、利用者にしばらく待ってもらうガイダンスをＣＲＴ表示装置３に表示し（Ｓ３８）、Ｓ３６の処理を繰り返す。なお、証明書発行装置が複数設置されている場合においては、上記のような処理を踏む可能性は殆どないといっても過言ではない。
【００３８】
一方、処理待ちの証明書発行装置が一台でもあれば、ＣＰＵ３１は、ホストコンピュータ３０に証明書を発行するために必要なデータを要求する。ホストコンピュータ３０は、ＩＤカードより得たユーザＩＤ識別コード及び上述のように選択した書類の種類等のデータから必要な情報を抽出して、証明書選択装置１のＣＰＵ３１へ送信する。そして、ＣＰＵ３１は、更に該データを証明書発行装置１６内のＣＰＵ４１に配信する。そして、利用者に前記証明書発行装置１６に移動するよう、ＣＲＴ表示装置３上に促した後（Ｓ３９）、再び、デモ画面を表示する（Ｓ２１）。これによって、本実施例では、次の証明書選択業務に入ることができ、証明書選択装置１の稼働効率もアップし、利用者に行列を作らせて待たせることもなくなる。
【００３９】
一方、証明書発行装置１６における証明書作成処理について図６のフローチャートを用いて説明する。
【００４０】
ＣＰＵ４１は、証明書選択装置１から住民情報データ等が送られたかどうかを常に監視しており（Ｓ６０）、証明書選択装置１内のＣＰＵ３１から該データが転送されたことを検知すると（Ｓ６０：ＹＥＳ）、証明書の作成処理に必要な該データをプリンタ４９へ送って印字させ、プリンタ４９により印字されると（Ｓ４１：ＹＥＳ）、該証明書は、搬送されてステープラ４７により端部を綴じられると共に契印機４８により契印を付されて、証明書排出口１７より排出される（Ｓ４２）。また、音声ガイダンス装置３３へも信号を送って、例えば、「証明書ができました。お取り下さい。レシートとカードもお忘れないようご注意下さい。」と発声させる。
【００４１】
そして証明書排出口１７に差し出された証明書が申請者によって取られたかどうかを検知し（Ｓ４３）、証明書が取られた場合には（Ｓ４３：ＹＥＳ）、終了画面を表示し（Ｓ４４）、その後しばらくしてから前記と同じデモ画面表示をＣＲＴ表示装置１３に表示して、上述の動作を繰り返す。
【００４２】
また前記証明書排出口１７に差し出された証明書が所定時間を過ぎても申請者に取られないことを検知すると（Ｓ４３：ＮＯ）、証明書発行装置１６内のＣＰＵ４１は、ＣＲＴ表示装置１３に再度ガイダンスを表示し（Ｓ４５）、尚も所定の時間が過ぎると、証明書排出口１７に差し出されている証明書を内部に回収してから（Ｓ４６）、前記と同じデモ画面表示をＣＲＴ表示装置１３に表示して、上述の動作を繰り返す。
【００４３】
一方、Ｓ４０において、証明書の作成が正常になされなかった場合（Ｓ４１：ＮＯ）、ＣＲＴ表示装置１３に故障した旨を表示して利用者に知らせる（Ｓ４７）。そして、証明書選択装置１へ故障した旨を転送し（Ｓ４８）、更に住民情報データ等も送り返して（Ｓ４９）、動作を終了する。
【００４４】
続いて、証明書発行装置１６の故障発生時における証明書選択装置１の動作について図７のフローチャートを参照して説明する。
【００４５】
証明書選択装置１内のＣＰＵ３１は、証明書発行装置１６から故障した旨のデータを受信すると、ＣＲＴ表示装置３に故障が発生した旨を表示し、利用者に故障が発生したことを知らせる（Ｓ５１）。そして、他に処理待ちの証明書発行装置が存在しているか否かを判断する。その結果、他の全ての証明書発行装置が処理中で空きがない場合（Ｓ５２：ＮＯ）、ＣＲＴ表示装置３に信号を送り、例えば、「もうしばらくお待ち下さい。証明書が発行できる端末を探しています」と表示し、利用者にしばらく待機するよう促す（Ｓ５５）。
【００４６】
一方、他に処理待ちの証明書発行装置１６が存在していた場合（Ｓ５２：ＹＥＳ）、当該証明書の作成に必要な住民情報データ等をその処理待ちの証明書発行装置１６へ再配信し（Ｓ５３）、その証明書発行装置１６により再び証明書を作成する。また、ＣＲＴ表示装置３に信号を送り、例えば「まことにお手数ですが証明書は、○○の端末でお受け取り下さい。」と表示し、利用者に証明書の交付可能な端末までの移動を促す（Ｓ５４）。
【００４７】
上述した証明書自動発行システムによれば、たとえ利用者が多数存在していたとしても、複数の証明書自動発行装置１６があるため、証明書選択装置１が効率的に稼働することができ、利用者をいらいらさせるほど待たせずに済む。
【００４８】
以上が本発明の商品自動発行システムの一実施例である証明書自動発行システムの一内容であるが、変形例として、証明書選択装置１が、前述したＳ３６における処理待ちの証明書発行装置１６が存在するか否かを確認する段階で、利用者にとって最善の証明書発行装置１６を指定するように構成された証明書自動発行システムについて、図７を参照してその動作を説明する。なお、その説明中、前述の実施例と同一のものには、同一番号を付してその説明を省略する。
【００４９】
Ｓ３６において、証明書選択装置１内のＣＰＵ３１は、処理待ちの証明書発行装置１６が存在するか否か確認した後、空いている証明書発行装置１６があると判断した場合（Ｓ３７：ＹＥＳ）、更にその空いている証明書発行装置１６が複数あるかどうか判断する（Ｓ６１）。証明書発行装置１６が複数もない場合（Ｓ６１：ＮＯ）、唯一空いている証明書発行装置１６を点滅点灯させ、利用者にそこへ移動するように促す（Ｓ６２）。
【００５０】
一方、空いている証明書発行装置１６が複数存在する場合（Ｓ６１：ＹＥＳ）、図８に示すように、証明書選択装置１から最も近い証明書発行装置１６を点滅点灯させ、該証明書発行装置１６に移動するように促す（Ｓ６３）。
【００５１】
以上のような証明書自動発行システムによれば、多数の利用者が同じ時間帯に利用したとしても、証明書自動発行装置１６が複数存在するため、効率的に証明書選択装置１が稼働することができるので、利用者をいらいらするほど待たせずに済ませることができる。
【００５２】
また、このことは、証明書の発行業務に適用可能だけではなく、例えばゲームソフトの販売装置にも応用可能であることはもちろんである。
尚、実施例におけるＣＲＴ表示装置３及びＣＲＴ表示装置３に表示させる内容を制御するＣＰＵ３１が、本願発明における表示手段に相当する。また、実施例におけるＣＰＵ３１が本願発明における取得手段、確認手段、第一送信手段及び第二送信手段に相当する。また、実施例におけるＣＰＵ４１が本願発明における返信手段に相当する。
【００５３】
【発明の効果】
以上説明したことから明らかなように、本実施例の証明書自動発行システムによれば、証明書発行装置を複数台設置する事により、証明書の発行処理がスムーズになされることになり、証明書選択装置の稼働率が大幅にアップする。さらに証明書の発行中に故障が発生しても他の証明書発行装置で証明書を印刷できるので利用者が改めて商品選択からのオペレーションをやり直す必要がなくなる。
【図面の簡単な説明】
【図１】  本発明の商品自動発行システムを証明書自動発行システムに適用した場合の概略外観図である。
【図２】  本実施例の証明書自動発行システムの電気的構成を示す構成図である。
【図３】  本実施例の証明書自動発行システムの起動から稼働可能な状態に至るまでの処理を示すフローチャートである。
【図４】  本実施例の証明書自動発行システムにおけるＣＰＵ３１の動作の前半を示すフローチャートである。
【図５】  本実施例の証明書自動発行システムにおけるＣＰＵ３１の動作の後半を示すフローチャートである。
【図６】  本実施例の証明書自動発行システムにおけるＣＰＵ４１の動作を示すフローチャートである。
【図７】  本実施例の証明書自動発行システムにおいて、故障時におけるＣＰＵ３１の処理を示すフローチャートである。
【図８】  他の実施例における証明書自動発行システムの動作を示すフローチャートである。
【図９】  他の実施例における証明書自動発行システムの概略外観図である。
【符号の説明】
３   ＣＲＴ表示装置
４   タッチパネル
５   コインメック
６   ビルバリ
１３   ＣＲＴ表示装置
１５   通信ケーブル
１７   証明書排出口
３１   ＣＰＵ
４１   ＣＰＵ
４９   プリンタ
【図１】
0003809203.tif 000002
【図２】
0003809203.tif 000003
【図３】
0003809203.tif 000004
【図４】
0003809203.tif 000005
【図５】
0003809203.tif 000006
【図６】
0003809203.tif 000007
【図７】
0003809203.tif 000008
【図８】
0003809203.tif 000009
【図９】
0003809203.tif 000010